(57)【要約】【課題】天板の後部左右両側に位置する支柱の下端よりも上方に連結フレームを配置可能として当該連結フレームの下方に空間を形成することのできるデスクを提供すること。【解決手段】天板１４の後部左右両側に配置された一対の支柱１１と、これら支柱１１の上部及び下部を相互に連結する上部連結フレーム１２及び下部連結フレーム１３とを備えてデスク１０が構成されている。下部連結フレーム１３は、天板１４を向いて着座した者の膝領域の高さに配置されており、当該下部連結フレーム１３の下方に空間を形成するようになっている。また、下部連結フレーム１３の支柱１１に対する連結領域から支柱１１の下端までの長さを備えた補強部材２２が支柱１１内に配置され、当該支柱領域の強度低下が防止されている。【選択図】          図３
2004261380.tif 000002
【特許請求の範囲】
【請求項１】
左右一対の支柱と、当該支柱の下部を相互に連結する連結フレームと、前記支柱の所定高さ位置に支持された天板とを備えたデスクにおいて、
前記連結フレームは、前記天板を向いて着座した者の膝領域の高さに配置されて当該連結フレームの下方に空間を形成することを特徴とするデスク。
【請求項２】
前記支柱は中空パイプ材により構成され、前記連結フレームの連結領域から前記支柱の下端までの長さを備えた補強部材が内部に設けられていることを特徴とする請求項１記載のデスク。
【請求項３】
前記補強部材にナット部材が設けられる一方、前記支柱の側面に設けられるとともに前記ナット部材に開通して前記連結フレームを連結する連結用穴が形成され、
前記連結フレームの端部から前記ナット部材にボルトをねじ込んで連結フレームが支柱間に固定されることを特徴とする請求項１又は２記載のデスク。
【発明の詳細な説明】
【０００１】
【発明の属する技術分野】
本発明はデスクに係り、更に詳しくは、天板下の後部左右方向に位置する連結フレームを所定の高さ位置に配置し、当該連結フレームの下部領域を収納空間として利用することのできるデスクに関する。
【０００２】
【従来の技術】
従来より、内部を中空としたパイプ材を天板の後部左右両側に配置したデスクが知られている。このタイプのデスクにおいて、支柱自体に強度を持たせる場合に、それらの上下両端部間に連結フレームを介して相互に連結することが行われる。このような支柱を上下二箇所で連結フレームを用いて連結する場合には、支柱の上端部と下端部との間に連結フレームを位置させることが強度的に好ましいものとされている。
【０００３】
【発明が解決しようとする課題】
しかしながら、支柱の上下両端を連結フレームで連結すると、下端部間を連結する下部連結フレームと床面との間のスペースが無くなることとなり、天板の下部後方に収納物を置く場合の支障になるという不都合がある。また、天板に向く姿勢で着座したときに、下部連結フレームに対して着座した者の下肢領域、特に、つま先がぶつかり易くなる不都合もある。このような不都合は、天板の前後幅が小さいタイプとなるデスクの場合に一層顕在化することとなる。
【０００４】
更に、下部連結フレームを支柱の下端部間に配置した場合において、バックパネル若しくは幕板を有しないデスクとしたときに、当該デスクの後部側から着座している者の膝領域が必然的に見える構造となる。この場合、下部連結フレームを支柱の下端より離れた上方に配置することで一定の隠蔽効果を付与することができるが、このような高さ位置に下部連結フレームを配置すると、当該下部連結フレームの連結領域から支柱の下端までの領域の支柱強度が大幅に低下するという不都合を招来する。
【０００５】
ところで、下部連結フレームを支柱の下端部よりも所定の高さ位置に連結する構造としては、支柱にねじ穴を設けておき、このねじ穴を利用して下部連結フレームをボルト固定することが考えられる。しかしながら、この構造では、ねじ穴領域の強度が非常に弱くなるという不都合がある。従って、ねじ穴に代えて貫通穴とし、この貫通穴と同軸上における支柱の内面側にナット部材を設けて当該ナット部材に下部連結フレームをボルトで固定する、ということが考えられる。
【０００６】
しかしながら、ナット部材を支柱の内面側に固定する場合には、当該ナット部材の溶接作業を行うことができる領域に限定されることとなる。つまり、支柱の下端から一定距離上方に離れた内面側にナット部材を溶接することは技術的に困難となる。従って、支柱の内部にナット部材を設けて下部連結フレームを連結する場合には、ナット部材を支柱内に固定できる領域内に制約されてしまうこととなり、着座した者の膝領域に対応する高さ位置に前記ナット部材を配置することはできないこととなる。また、仮に、支柱の下端から一定距離上方に離れた内面側にナット部材を固定することができるとしても、この場合の連結フレームの連結位置は、支柱の下端部から離れた位置となり、当該支柱の端部からナット部材までの領域における支柱の強度を低下させてしまうという別異の不都合を招来する。
【０００７】
【発明の目的】
本発明は、このような不都合に着目して案出されたものであり、その目的は、左右一対の支柱間を連結フレームで連結するに際し、支柱の下端より上方に連結フレームを配置可能として当該連結フレームの下方に空間を形成することのできるデスクを提供することにある。
【０００８】
本発明の他の目的は、支柱の下端部から所定の高さに連結フレームを連結しても、その連結領域から支柱の下端部までの強度低下を防止することのできるデスクを提供することにある。
【０００９】
【課題を解決するための手段】
前記目的を達成するため、本発明は、左右一対の支柱と、当該支柱の下部を相互に連結する連結フレームと、前記支柱の所定高さ位置に支持された天板とを備えたデスクにおいて、
前記連結フレームは、前記天板を向いて着座した者の膝領域の高さに配置されて当該連結フレームの下方に空間を形成する、という構成を採っている。このような構成とすれば、連結フレームの下方に空間が形成されることで、天板の下部後方に一定の収納領域が形成されることとなる。しかも、着座した者のつま先側が下部連結フレームにぶつかってしまうという不都合も解消することができる。
【００１０】
【発明の実施の形態】
本発明において、前記支柱は中空パイプ材により構成され、前記連結フレームの連結領域から前記支柱の下端までの長さを備えた補強部材が内部に設けられる、という構成を採ることができる。このような構成では、連結フレームを支柱の下端より上方位置に連結しても、当該連結領域から支柱下端までの領域における強度低下を防止することができる。
【００１１】
また、前記補強部材にナット部材が設けられる一方、前記支柱の側面に設けられるとともに前記ナット部材に開通して前記連結フレームを連結する連結用穴が形成され、
前記連結フレームの端部から前記ナット部材にボルトをねじ込んで連結フレームが支柱間に固定される、という構成を採ることもできる。このようにすると、補強部材にナット部材を予め溶接等の手段で固定しておき、その後に、補強部材を支柱の内部に挿入することで、ナット部材を支柱の下端から上方に離れた高さ位置に固定することができる。しかも、補強部材は支柱の下端部から挿入される構成であるため、当該補強部材の下端部を支柱の下端部に一致させたときに、ナット部材の位置が自動的に決定される構成となり、当該ナット部材の位置を精度良く保つことができる。
【００１２】
【実施例】
以下、本発明の実施例を図面を参照しながら説明する。
【００１３】
図１には、本実施例に係るデスクの概略斜視図が示され、図２には、その左側面図が示されている。また、図３には、前記デスクの正面図が示されている。これらの図において、デスク１０は、左右一対の支柱１１，１１と、これら支柱１１，１１の上端部間及び下端部よりもやや上方位置間を相互に連結して前記支柱１１とともに上部連結フレーム１２及び下部連結フレーム１３と、支柱１１の前面側の所定高さ位置に設けられた天板１４と、この天板１４の上方に配置された上下二段の棚板１５及び棚板１６と、上部連結フレーム１２から天板１４の位置より若干下方位置までの領域において、前記支柱１１，１１間に配置されたパネル１８とを備えて構成されている。
【００１４】
前記支柱１１は、例えば、押出成形法により得られた略中空の角柱パイプ状をなし、その前後各面に、上下方向に沿って延びるスロット穴１１Ａが形成され、このスロット穴１１Ａを利用して前記天板１４の後部と棚板１５，１６がそれぞれ支持されるようになっている。また、支柱１１の下端部には、床面に沿う水平脚２０，２０が設けられ、これにより、前記上下の各連結フレーム１２，１３で各支柱１１を連結したときに自立可能となる。ここで、各支柱１１の下端部領域の内部には補強部材２２，２２がそれぞれ配置されている。補強部材２２は、図４ないし図６に示されるように、支柱１１内の左右方向に相対する内側面にそれぞれ面接触する縦長長方形状の本体面２２Ａと、この本体面２２Ａの短寸幅方向、すなわち前後両端縁に連なって支柱１１の前後各内面側に接する一対の屈曲面２２Ｂ，２２Ｂとからなり、横断面が略コ字状となる形状に設けられている。この屈曲面２２Ｂの短寸方向幅、すなわち左右幅は小さく設定されており、これにより、補強部材２２を支柱１１内に配置しても、屈曲面２２Ｂがスロット穴１１Ａを閉塞することがないようになっている（図５参照）。また、補強部材２２の上下方向長さは、前記下部連結フレーム１３を支柱１１間に配置したときに、当該連結フレーム１３を天板１４の手前に着座した者の膝領域に位置させることができる長さに設定されている。本実施例では、特に限定されるものではないが、下部連結フレーム１３の上下幅が約１００ｍｍに設定され、その下面と水平脚２０の下面との間の距離が約４００ｍｍに設定されている。従って、概略的に説明すれば、床面から約４００ｍｍ高さ位置から５００ｍｍ高さ位置までの領域が下部連結フレーム１３によって隠蔽されることになる。
【００１５】
前記補強部材２２の一端部領域となる図４中上端部領域において、その内側面の上下二箇所に連結要素としてのナット部材２４，２４が溶接により固定されている。そして、これらのナット部材２４の中心ねじ穴と同軸線上に位置する貫通穴２５が補強部材２２の本体面２２Ａに形成されている。この一方、支柱１１の左右側面には、前記補強部材２２を支柱１１の下端から挿入して当該補強部材２２の下端位置と支柱１１の下端位置とを一致させたときに前記ナット部材２４及び貫通穴２５と同軸上に位置する部分に連結用穴２６，２６が形成されている。また、これらの連結用穴２６の上下各隣接位置と、支柱１１の下端近傍位置には溶接用穴２７が支柱１１の上下方向三箇所に形成されている。従って、補強部材２２を支柱１１の下端から挿入し、前記溶接用穴２７を通じて補強部材２２，２２を支柱１１の各内側面に対して三箇所で溶接固定することができる。
【００１６】
前記下部連結フレーム１３は、左右方向に延びる中空パイプ状をなすフレーム本体２９と、このフレーム本体２９の長手方向両端に溶接固定される連結片３０とにより構成されている。連結片３０は、フレーム本体２９の端部を閉塞するとともに、当該フレーム本体２９の上下方向幅よりも大きな長さに設けられて支柱１１の内側面に面接触する接触面部３２と、この接触面部３２の前後各縁に連なってフレーム本体２９の前後各面側に折り曲げられた補強屈曲面部３３とにより構成されている。接触面部３２の上下各中央部には、ボルト挿入穴３２Ａ，３２Ａがそれぞれ形成されており、これらのボルト挿入穴３２Ａと支柱１１の連結用穴２６とを一致させてボルト３４をねじ込むことにより、当該ボルト３４がナット部材２４に締め付けでき、これにより、下部連結フレーム１３を支柱１１間に配置することができる。
【００１７】
前記天板１４は平面視略方形状をなし、前部下面側において、左右二箇所位置が脚柱４０，４０によって支持されている一方、後部下面側の左右二箇所がブラケット４１，４１によって支持されている。この天板１４は、その後端左右両側が支柱１１の前面に略突き当たる状態でブラケット４１，４１上に支持されている。なお、ブラケット４１は、後端部に設けられた図示しないフックを支柱１１のスロット穴１１Ａに引っ掛けて当該支柱に支持される公知の構造となっている。
【００１８】
前記棚板１５，１６は、支柱１１のスロット穴１１Ａに引っ掛けて支持された各一対をなす公知のブラケット４４，４５を介してそれぞれ支持されている。各棚板１５，１６は、平面視略方形状をなし、それらの後端左右両側が支柱１１の前面に略突き当たる状態でブラケット４４，４５にそれぞれ支持されている。
【００１９】
前記パネル１８は、上部連結フレーム１２の直下と、下部連結フレーム１３の上方において、支柱１１，１１間に掛け渡された角パイプ状の横架材５０，５１（図２参照）にそれぞれ支持されている。横架材５０，５１は、ここでは詳細構造を省略しているが、それらの長手方向両端側にフックを備えており、当該フックが支柱１１の後面に形成されたスロット穴に引っ掛けられるようになっている。そして、パネル１８は、横架材５０，５１の前面に係り合うような裏面構造を備え、これにより、パネル１８が支柱１１間に配置される。
【００２０】
以上の構成において、支柱１１を形成する際には、当該支柱１１の下端に水平脚２０を固定する前に、当該支柱１１の下端から補強部材２２を挿入する。そして、補強部材２２の下端と支柱１１の下端とが略一致する状態で、溶接用穴２７を利用してこれらを相互に溶接する。これにより、ナット部材２４，２４は、支柱１１の下端より内方すなわち上方に所定距離離れて位置し、ナット部材２４の中心ねじ穴が支柱１１の連結用穴２６にそれぞれ一致し、内外に開通した状態となる。この後、各支柱１１の下端に水平脚２０を固定すればよい。
【００２１】
前記下部連結フレーム１３を支柱１１間に連結する場合には、フレーム本体２９の長手方向両端に位置する連結片３０を支柱１１の内側面にあてがい、連結片３０のボルト挿入穴３２Ａを前記連結用穴２６に一致させてボルト３４をねじ込めば当該ボルト３４をナット部材２４に締結させることができる。次いで、前記天板１４及び棚板１５，１６をパネル１８の前方に組み立てることでデスク１０を完成させることができる。なお、ここでは、図示省略しているが、上部連結フレーム１２は、支柱１１の上端に引っ掛けるようにして当該支柱１１の上部間を相互に連結できるようになっている。
【００２２】
従って、このような実施例によれば、下部連結フレーム１３よりも下方に、約４００ｍｍ程度の高さとなる空間が形成されることとなり、この空間を利用して天板１４の下部後方を収納領域として利用することが可能となる。しかも、着座した者のつま先がぶつかることも回避することができる。加えて、床面から約４００ｍｍないし５００ｍｍの領域は、下部連結フレーム１３が存在しているので、デスク１０の後方から見たときに、着座者の膝領域又はこれの近傍に下部連結フレーム１３が位置することになるため、天板１４の後部に幕板等を設けなくても一定の隠蔽効果を期待することができる。
【００２３】
また、支柱１１の内部に補強部材２２を設け、ナット部材２４が補強部材２２に固定若しくは保持される構成であるから、パイプ材からなる支柱の中間を下部連結フレーム１３で相互に連結する構成とした場合に生じる支柱の強度低下も効果的に回避することができる。
【００２４】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記実施例では、独立したデスク１０を示しているが、支柱１１の下部外側面側を利用して更に横方向に上部連結フレーム１２及び下部連結フレーム１３を連結し、複数のデスクが横並びになるようにしてもよい。この場合、各デスクの中間に位置する支柱１１を共通部品として利用することができる。更に、パネル１８の背面側に前部天板１４と前後対称となる天板を配置してもよい。
【００２６】
また、前記実施例における下部連結フレーム１３の上下幅は１００ｍｍであるとしたが、必要に応じて増加、減少させることができる。
【００２７】
更に、前記実施例では、支柱１１が押出成形法により得られた場合を示したが、一枚の縦長金属を折り曲げてパイプ状に形成してもよい。また、パイプ状とは、横断面において完全な閉ループを形成しているものに限定されるものではない。従って、一枚の金属板を折り曲げて形成する場合の突き合わせ端部間に隙間を有するタイプのものも含まれる。
【００２８】
【発明の効果】
以上説明したように、本発明によれば、連結フレームの下方に空間が形成されることで、天板の下部後方に一定の収納領域が形成され、且つ、着座した者のつま先側が下部連結フレームにぶつかってしまうという不都合も解消することができる、という従来にない優れた効果を奏するデスクを提供することができる。
【００２９】
また、支柱を中空パイプとし、当該支柱内に、連結フレームの連結領域から支柱下端までの長さを備えた補強部材を設けたから、連結フレームを支柱の下端より上方位置に連結しても、当該連結領域から支柱下端までの領域における強度低下を防止することができる。
【００３０】
更に、補強部材に設けられたナット部材を利用して連結フレームがボルトにより固定される構成であるから、ナット部材を支柱の下端から上方に離れた高さ位置に固定することができ、従来の技術的な困難性を解消することができる。しかも、補強部材は支柱の下端部から挿入される構成であるため、ナット部材の位置を精度良く保つことができ、連結フレームの連結に際して位置的な誤差も回避することができる。
【図面の簡単な説明】
【図１】本発明が適用された実施例を示すデスクの概略斜視図。
【図２】前記デスクの左側面図。
【図３】前記デスクの正面図。
【図４】支柱の要部分解斜視図。
【図５】図３のＡ−Ａ線に沿う矢視拡大断面図。
【図６】左右一対の支柱の下部拡大正面図。
【符号の説明】
１０  デスク
１１  支柱
１２  上部連結フレーム
１３  下部連結フレーム
２２  補強部材
２４  ナット部材
２６  連結用穴
【図１】
2004261380.tif 000003
【図２】
2004261380.tif 000004
【図３】
2004261380.tif 000005
【図４】
2004261380.tif 000006
【図５】
2004261380.tif 000007
【図６】
2004261380.tif 000008